(57)【要約】  【課題】装飾的要素を付加し、機器本体に対するスタイラスペンの収容位置を容易に把握することができるスタイラスペンを提供する。  【解決手段】先端部にペン先部Ｐ１１を有するペン本体Ｐ１と、ペン本体Ｐ１の基端部側に設けられ且つゲーム機器本体Ｇに収納した状態においてゲーム機器本体Ｇから表出する装飾部Ｐ２と、ペン本体Ｐ１の基端部と装飾部Ｐ２との間に介在し且つ装飾部Ｐ２をペン本体Ｐ１に対して相対変位可能に保持する変形部Ｐ３とを具備させた。【選択図】図２
0003111141.tif 000002
【実用新案登録請求の範囲】
【請求項１】
タッチパネル部を備えた機器本体に収納可能なスタイラスペンであって、
先端部にペン先部を有するペン本体と、当該ペン本体の基端部側に設けられ且つ前記機器本体に収納した状態において前記機器本体から表出する装飾部と、前記ペン本体の基端部と前記装飾部との間に介在し且つ前記装飾部を前記ペン本体に対して相対変位可能に保持する変形部とを具備していることを特徴とするスタイラスペン。
【請求項２】
前記変形部が、バネである請求項１記載のスタイラスペン。
【請求項３】
前記装飾部が、前後方向の識別が可能なものであり、当該装飾部の前後方向を前記ペン本体の前記収納状態における前後方向に対応させている請求項１又は２記載のスタイラスペン。
【考案の詳細な説明】
【技術分野】
【０００１】
本考案は、タッチパネル部を備えた機器本体に収納可能なスタイラスペンに関するものである。
【背景技術】
【０００２】
近時、ＰＤＡ（Ｐｅｒｓｏｎａｌ  Ｄｉｇｉｔａｌ  Ａｓｓｉｓｔａｎｔ）や電子辞書或いは携帯型ゲーム機器等、表示画面にタッチパネル部を備えた電子機器（情報端末機器）が急速に普及している。このような電子機器は、タッチパネル部にスタイラスペンや指を接触させることにより所定の操作を行えるようにしており、通常、スタイラスペンは、機器本体の一部に形成したペン収納部に挿抜可能に収納され、収納した状態において、ペン収納部に略全部位が収容されるように設定している（例えば非特許文献１参照）。これにより、収容状態においてスタイラスペンの一部が機器本体から突出することによる不具合、すなわち外部からの衝撃により機器本体から突出しているスタイラスペンの一部が破損する、或いは携帯時又は専用ケースへの収納時にスタイラスペンの一部が邪魔になる等の不具合が生じないようにしている。
【非特許文献１】［平成１７年４月８日検索］、インターネット＜ＵＲＬ：ｈｔｔｐ：／／ｗｗｗ．ｎｉｎｔｅｎｄｏ．ｃｏ．ｊｐ／ｄｓ／ｈａｒｄｗａｒｅ／ｉｎｄｅｘ．ｈｔｍｌ＞
【考案の開示】
【考案が解決しようとする課題】
【０００３】
しかしながら、従来のスタイラスペンは、収納状態において略全部位がペン収納部に収納されるため、使い始めの頃等使い慣れない間は収納状態においてスタイラスペンの収容位置が把握し難く、また収容態様によっては容易に取り出すことができない場合もあり、今ひとつ使い勝手が優れないという不具合が生じる。加えて、スタイラスペンは、収納状態において略全部位がペン収納部に収納し得るように、概略棒状のシンプルな形状をなすものであるため、不意にペン収容部から抜け落ちた場合や、使用した後にペン収容部に収容しなかった場合等には、そのシンプルな形状故、他の物品等に紛れて紛失し易く、また他人との識別が困難であるという問題も生じる。
【０００４】
本考案は、このような課題に着目してなされたものであって、主たる目的は、装飾的要素を付加し、この装飾的要素を目印として、機器本体に対するスタイラスペンの収容位置を容易に把握することができるとともに、他のスタイラスペンとの識別を的確に行うことが可能なスタイラスペンを提供することにある。
【課題を解決するための手段】
【０００５】
すなわち、本考案のスタイラスペンは、タッチパネル部を備えた機器本体に収納可能なスタイラスペンであって、先端部にペン先部を有するペン本体と、このペン本体の基端部側に設けられ且つ前記機器本体に収納した状態において前記機器本体から表出する装飾部と、前記ペン本体の基端部と前記装飾部との間に介在し且つ前記装飾部を前記ペン本体に対して相対変位可能に保持する変形部とを具備していることを特徴とする。
【０００６】
ここで、「タッチパネル部」は、画面上の所要箇所に指やペン等を接触させることによって所定の操作を指示することを可能とするものであり、感圧方式、光方式、超音波方式、静電容量方式、電磁誘導方式等各種方式を採用したものであればよく、特にその種類は問わない。
【０００７】
このようなものであれば、収容状態において装飾部が機器本体から表出しているため、この装飾部が、スタイラスペンに装飾的価値を付加するのみならず、スタイラスペンの収容位置を示す目印となり、スタイラスペンの収容位置が把握し易く、また、装飾部を把持しながらペン本体を機器本体から抜くようにすれば簡単に取り出すことができ、使い勝手に優れたものとなる。しかも、装飾部が人気キャラクター等のフィギュアやイラスト入り又はロゴ入りのグッズであれば、消費者の購買意欲を惹起或いは刺激し、販促効果を有効に高めることが可能となる。さらに、使用者が各自の好みに合わせて装飾部を適宜選択することにより、自己のスタイラスペンを他人のスタイラスペンと識別することが可能になるとともに、装飾部を設けることにより、スタイラスペンがシンプルな概略棒状ではなくなるため、他の物品に紛れて紛失し易いという従来の不具合も解消することが可能である。また、装飾部に外部から衝撃が加わった場合には、変形部の作用により、装飾部がペン本体に対する相対位置を適宜変更し、装飾部に対する外部負荷を軽減して装飾部自体の破損を抑制することができるとともに、携帯時又は専用ケースへの収納時に変形部が適宜変形することにより装飾部が邪魔になる等の不具合が生じず、好適である。
【０００８】
特に、前記変形部が、バネであれば、構造の簡素化及びコストの削減を確保しつつ、使用者がペン本体の先端部をタッチパネル部に接触させて突付く、なぞる或いは文字・図形等を書く等適宜の操作をした場合に、操作時の振動がバネに伝わることによりバネが弾性変形し、その結果、装飾部が適度に揺動するため、程好いクリック感（操作感）を得ることができる。
【０００９】
また、前記装飾部が、前後方向の識別が可能なものであり、当該装飾部の前後方向を前記ペン本体の前記収納状態における前後方向に対応させていれば、スタイラスペンを機器本体に簡単かつ確実に収容することができる。なお、ここで「前後方向」とは、スタイラスペンの長手方向（延伸方向）に対して略直交する方向を意味する。
【考案の効果】
【００１０】
以上説明したように、本考案によれば、スタイラスペンに装飾的価値を付加する装飾部を、収容状態において機器本体から敢えて表出させることにより、この装飾部が、スタイラスペンの収容位置を示す収容位置明示手段、機器本体からの取り出しを援助する取出援助手段、自己のスタイラスペンと他人のスタイラスペンとを識別する自他識別手段、紛失を防止する紛失防止手段として機能する。しかも、変形部が装飾部をペン本体に対して相対変位可能に保持しているため、この変形部が、装飾部に対する衝撃を緩和する緩衝手段として機能する。
【考案を実施するための最良の形態】
【００１１】
本実施形態に係るスタイラスペンＰは、図１〜図３等に示すように、タッチパネル部として機能する第１液晶表示画面Ｇ１１を備えた機器本体たる携帯型ゲーム機器本体Ｇ（以下「ゲーム機器本体Ｇ」とする）に収納可能なものである。
【００１２】
先ず、このゲーム機器本体Ｇについて簡単に説明する。
【００１３】
このゲーム機器本体Ｇは、第１液晶表示画面部Ｇ１１を備えた第１筐体Ｇ１と、第２筐体Ｇ２とをヒンジを介して連結し、第１筐体Ｇ１と第２筐体Ｇ２とを略重合させ且つ第１液晶表示画面Ｇ１１を内方に被覆してなる折畳姿勢（Ｃ）（図１及び図２参照）と、ヒンジを軸として第２筐体Ｇ２を第１筐体Ｇ１に対して所定方向に回動させ且つ第１液晶表示画面Ｇ１１を露出させてなる使用姿勢（Ｏ）（（図３参照）との間で姿勢変更可能な折り畳み式のものである。そして、このゲーム機器本体Ｇに、スタイラスペンＰを収納するペン収納部Ｇ１２を設けている。なお、本実施形態では、ペン収納部Ｇ１２を第１筐体Ｇ１に設けている。
【００１４】
なお、図示していないが、第１筐体Ｇ１又は第２筐体Ｇ２に、操作ボタン、電源ボタン、カートリッジ（カード）差込口、スピーカー等を適宜設けている。
【００１５】
本実施形態では、ペン収納部Ｇ１２は、図２に示すように、後述するスタイラスペンＰのペン本体Ｐ１を略全部位を収納し得る収納スペースを有するものである。この収納スペースの開口部近傍部位に相当する第１筐体Ｇ１の背面部の所定部位に、他の部位より若干窪ませてなる凹部Ｇ１２ａを形成し、この凹部Ｇ１２ａの所定部位に、第１筐体Ｇ１の背面側に開口し且つ後述するペン本体Ｐ１に設けた突出部Ｐ１２が嵌合可能なスリットＧ１２ｂを形成している。
【００１６】
このペン収納部Ｇ１２に収納可能なスタイラスペンＰは、図４（同図（ａ）は正面図、同図（ｂ）は側面図である）に示すように、先端部にペン先部Ｐ１１を有するペン本体Ｐ１と、ペン本体Ｐ１の基端部側に設けられ且つスタイラスペンＰ収納部Ｇ１２に収納した状態においてゲーム機器本体Ｇから表出する装飾部Ｐ２と、ペン本体Ｐ１の基端部と装飾部Ｐ２との間に介在し且つ装飾部Ｐ２をペン本体Ｐ１に対して相対変位可能に保持する変形部Ｐ３とを具備したものである。
【００１７】
ペン本体Ｐ１は、例えば合成樹脂素材から一体成形された概略棒状をなすものであり、その長手寸法を、ペン収納部Ｇ１２の収納スペースの長手寸法と略一致させている。ペン本体Ｐ１の基端部に、他の部位より径方向に突出してなる突出部Ｐ１２を設け、この突出部Ｐ１２をペン収納部Ｇ１２の前記スリットＧ１２ｂに嵌合するようにペン本体Ｐ１をペン収納部Ｇ１２に収納させることにより、ペン本体Ｐ１の一部がペン収納部Ｇ１２の一部に係合し、ペン本体Ｐ１がペン収納部Ｇ１２から不意に抜脱することを防止している。このように収納状態において、突出部Ｐ１２がペン本体Ｐ１の後方側に位置する。換言すれば、収納状態におけるペン本体Ｐ１の前後方向が突出部Ｐ１２により決められている。なお、ここで「ペン本体Ｐ１の前後方向」は、スタイラスペンＰの長手方向に略直交する方向を意味する。
【００１８】
装飾部Ｐ２は、例えばゲームに登場する（関連する）キャラクターやスポーツ選手等のフィギュア、或いはロゴマークやイラストを印刷・刻印・貼着等により表示されたロゴマーク入りグッズ又はイラスト入りグッズ等、視覚や触覚等を通じて認識され、スタイラスペンＰに装飾的価値を付加するものであり、本実施形態では装飾部Ｐ２として、ゲームに登場するキャラクターのフィギュアを採用している。この装飾部Ｐ２は、前後方向（スタイラスペンＰの長手方向に略直交する方向）の識別が可能なものであり、装飾部Ｐ２の前後方向を、ペン本体Ｐ１の収納状態における前後方向に一致させている。すなわち、装飾部Ｐ２の後部と、ペン本体Ｐ１の突出部Ｐ１２とが同一方向（折畳姿勢（Ｃ）にあるゲーム機器本体Ｇの第１筐体Ｇ１側）を向くように設定している。
【００１９】
変形部Ｐ３は、一端部をペン本体Ｐ１の基端部に固着し、他端部を装飾部Ｐ２の下端部に固着し、装飾部Ｐ２に外力が掛かった場合等に装飾部Ｐ２がペン本体Ｐ１に対して相対変位し得るように弾性変形し得るものであり、本実施形態では、変形部Ｐ３として、コイルバネを適用している。
【００２０】
このような構成を有するスタイラスペンＰは、ペン本体Ｐ１のペン先部Ｐ１１を第１液晶表示画面部Ｇ１１に接触させて適宜スライド操作やポインティング操作を行い、これらの動作をゲーム上の進行に関連付け、直感的なゲーム感覚を得るために使用される。スライドペンＰの使用時、つまりスライド動作やポインティング動作等の操作時の振動が変形部Ｐ３に伝わり、変形部Ｐ３が弾性変形することにより、装飾部Ｐ２が揺動する。この装飾部Ｐ２の揺動により、使用者は、適度なクリック感を得ることができる。
【００２１】
一方、不使用時には、ゲーム機器本体Ｇのペン収納部Ｇ１２に収納することができる。スタイラスペンＰのペン収納部Ｇ１２への収納は、ペン本体Ｐ１のペン先部Ｐ１１から第１筐体Ｇ１のペン収納部Ｇ１２に挿入するとともに、ペン本体Ｐ１の突出部Ｐ１２をペン収納部Ｇ１２のスリットＧ１２ｂに嵌合させることにより行う。この場合、装飾部Ｐ２の前部を前方（折畳姿勢（Ｃ）にあるゲーム機器本体Ｇの第２筐体Ｇ２側）に向けた状態でペン本体Ｐ１をペン収納部Ｇ１２に収納することにより、装飾部Ｐ２の前後方向と収納状態におけるペン本体Ｐ１の前後方向とを一致させているため、ペン本体Ｐ１の突出部Ｐ１２がペン収納部Ｇ１２のスリットＧ１２ｂにスムーズに嵌合する。この収納状態において、ペン本体Ｐ１は、突出部Ｐ１２以外の部位が収納スペース内に位置に、突出部Ｐ１２のみが表出している。また、収納状態において変形部Ｐ３及び装飾部Ｐ２がゲーム機器本体Ｇから表出している。そして、装飾部Ｐ２に外力が掛かった場合、変形部Ｐ３が弾性変形することによりその外力を吸収するとともに、装飾部Ｐ２がペン本体Ｐ１に対して相対変位する。
【００２２】
このように本実施形態に係るスタイラスペンＰは、収納状態においてゲーム機器本体Ｇから表出する装飾部Ｐ２と、ペン本体Ｐ１の基端部と装飾部Ｐ２との間に設けられ装飾部Ｐ２をペン本体Ｐ１に対して相対変位可能に保持する変形部Ｐ３とを備えたものであるため、スタイラスペンＰに装飾的要素を付加する装飾部Ｐ２がスタイラスペンＰの収容位置を示す目印となり、スタイラスペンＰの収容位置が把握し易く、また、装飾部Ｐ２を把持しながらペン本体１をペン収容部Ｇ１２から抜くようにすればスタイラスペンＰを簡単に取り出すことができる。しかも、装飾部Ｐ２がゲームに登場するキャラクターのフィギュアであるため、使用者は臨場感溢れるゲーム感覚を得ることができるとともに、装飾部Ｐ２が消費者の購買意欲を惹起或いは刺激し、販促効果を有効に高めることが可能となる。さらに、使用者が各自の好みに合わせて複数の装飾部Ｐ２の中から所望の装飾部Ｐ２を適宜選択することにより、各装飾部Ｐ２が自己のスタイラスペンＰと他人のスタイラスペンＰとを識別する識別力を発揮する。加えて、装飾部Ｐ２を設けることにより、スタイラスペンＰがシンプルな概略棒状のものではなくなるため、他の物品に紛れて紛失し易いという従来の不具合も解消することができる。また、机の天板や床等の載置面にスタイラスペンＰを収納したゲーム機器本体Ｇを載置した場合等、装飾部Ｐ２に外部から衝撃が加わった場合には、変形部Ｐ３が当該衝撃を吸収し、装飾部Ｐ２がペン本体Ｐ１に対する相対位置を適宜変更するため、装飾部Ｐ２に掛かる外部負荷を軽減して破損を抑制することができ、且つ装飾部Ｐ２がペン本体Ｐ１に対して適宜相対変位するため携帯時又は図示しない専用ケースへの収納時に装飾部Ｐ２が邪魔になる等の不具合が生じず、好適である。このように変形部が、装飾部Ｐ２に掛かる衝撃を緩和する緩衝手段として機能する。
【００２３】
殊に、変形部Ｐ３としてコイルバネを適用しているため、構造の簡素化及びコストの削減を有効に図ることができる。しかも、ペン本体Ｐ１の先端部をタッチパネル部たる第１液晶表示画面部Ｇ１１上に接触させてポインティング動作又はスライド動作をした場合に、その振動がバネに伝わることによりバネが弾性変形し、その結果、装飾部Ｐ２が揺動するため、程好いクリック感（操作感）を得ることができ、良好なクリック感を得るためにペン先部Ｐ１１の内部にバネ等の弾性部材を設ける細かな作業が一切要求されず、製作工程の簡略化にも資する。また、装飾部Ｐ２が揺動するため、可愛らしさを醸出し、大いに興味を惹き付け得るものとなる。さらに、この装飾部Ｐ２がゲームに関連するキャラクターとすることにより、この装飾部Ｐ２が使用者の操作に連動して揺動するため、使用者は臨場感溢れる直感的なゲーム感覚を得ることができる。
【００２４】
さらに、装飾部Ｐ２が、前後方向の識別が可能なものであり、装飾部Ｐ２の前後方向をペン本体Ｐ１の収納状態における前後方向に対応させているため、簡単かつ確実にスタイラスペンＰをゲーム機器本体Ｇに収容することができる。
【００２５】
なお、本考案は、以上に詳述した実施形態に限られるものではない。
【００２６】
例えば、変形部として、コイルバネを適用したが、これに限らず、各種バネやゴム弾性を有するもの、あるいは、いわゆるボールジョイントや関節部材等、ペン本体と装飾部とを可動的に結合させるものであればどのようなものであっても構わない。
【００２７】
また、ペン本体に対する装飾部の相対変位（可動性）を確保する範囲であれば、変形部の一部が、収納状態において機器本体の内部に収納されるように設定してもよい。さらに、装飾部は取替可能なものであってもよい。このようなものであれば、装飾部が破損した場合に、当該装飾部を適宜破棄して別途新たな装飾部を取り付けるだけでよく、スタイラスペン全体を買い換える必要がなく、好適である。
【００２８】
また、装飾部の前後方向とペン本体の収納状態における前後方向とを対応させればよく、ペン本体の収納状態における前後方向を位置決めする構成は、前記実施形態に示す前記ペン本体の突出部と前記ペン収容部のスリットとを嵌合させる態様の他、ペン本体又はペン収容部の何れか一方に設けた嵌合凸部等の第１係合要素と、他方に設けられ且つ第１係合要素が係合し得る嵌合凹部等の第２係合要素とを係合させる態様等、適宜の態様を採用すればよい。
【００２９】
また、スタイラスペンが収容可能な機器本体として、前記ゲーム機器本体の他、ＰＤＡや電子辞書、携帯電話等の携帯型情報端末機器、或いは提携不能な情報端末機器であっても構わない。また、機器本体が折畳可能であるか否かは不問である。
【００３０】
その他、各部の具体的構成についても上記実施形態に限られるものではなく、本考案の趣旨を逸脱しない範囲で種々変形が可能である。
【図面の簡単な説明】
【００３１】
【図１】本発明の一実施形態に係るスタイラスペンを収納し折畳姿勢をとるゲーム機器本体を第２筐体側から見た全体概略図。
【図２】同第１筐体側から見た全体概略図。
【図３】同実施形態に係るスタイラスペン及び使用姿勢をとるゲーム機器本体の全体概略図
【図４】同実施形態に係るスタイラスペンの正面図及び側面図。
【符号の説明】
【００３２】
Ｇ…機器本体（ゲーム機器本体）
Ｇ１１…タッチパネル部（第１液晶表示画面部）
Ｐ…スタイラスペン
Ｐ１…ペン本体
Ｐ１１…ペン先部
Ｐ２…装飾部
Ｐ３…変形部
【図１】
0003111141.tif 000003
【図２】
0003111141.tif 000004
【図３】
0003111141.tif 000005
【図４】
0003111141.tif 000006